(57)【要約】【課題】洗面化粧台本体に設けられたシャワーホースやタオル掛けのタオルから滴下する水滴をけこみ部に引出し可能に設けられた水受けタンク内に収容されるようにして、水滴が確実に水受けタンク内に収容され、この水受けタンク内の水滴が簡単に排出可能にした洗面化粧台を提供する。【解決手段】洗面化粧台本体１の背板側２にシャワーホース３の収納部４を設けるとともに該シャワーホース３の外面から滴下する水滴５が、背板６のガイド部７を介して下方のけこみ部８に引出し可能に設けられた水受けタンク９内に収容されるようにしたものである。【選択図】　　　　図１
2004141337.tif 000002
【特許請求の範囲】
【請求項１】
洗面化粧台本体の背板側にシャワーホースの収納部を設けるとともに該シャワーホースの外面から滴下する水滴が、背板のガイド部を介して下方のけこみ部に引出し可能に設けられた水受けタンク内に収容されるようにしたことを特徴とする洗面化粧台。
【請求項２】
上記引出し可能に設けられた水受けタンクが物品収納部と水受けタンクとを一体型に形成した引き出しであることを特徴とする請求項１記載の洗面化粧台。
【請求項３】
上記引き出しの前板に水受けタンクが前方から目視可能な確認窓を設けたことを特徴とする請求項２記載の洗面化粧台。
【請求項４】
洗面化粧台本体の前扉板側にタオル掛けを設けるとともに該タオル掛けのタオルから滴下する水滴を受容するように、引出し可能に設けられた引出し兼用の水受けタンクを下方のけこみ部に設けたことを特徴とする洗面化粧台。
【請求項５】
上記けこみ部に設けられた引出し可能に設けられた引出しの前面にタオルから滴下する水滴を受容する着脱自在の水受けタンクを設けたことを特徴とする請求項４記載の洗面化粧台。
【発明の詳細な説明】
【０００１】
【発明の属する技術分野】
本発明は、洗面化粧台のシャワーホースやタオル掛けのタオルから滴下する水滴をけこみ部に引出し可能に設けられた水受けタンク内に収容されるようにした洗面化粧台に関するものである。
【０００２】
【従来の技術】
従来から洗面器の上面側へ引出可能なシャワーヘッドを備えた洗面化粧台において、シャワーヘッドと接続されたシャワーホースを収納可能とし、このシャワーホースを伝って流下する水滴等を回収する水受タンクを隠蔽状に配設し、この水受タンクに水抜き用のホースを接続するものがある。
（例えば、特許文献１参照）
また、システムキッチンの収納構造で台輪前板の後方を引出し収納部とした収納構造が開示されている。
（例えば、特許文献２参照）
【０００３】
【特許文献１】
実開平２−１０６０５５号公報（第１−２頁、第２図）
【０００４】
【特許文献２】
特開２００１−２２４４５１号公報（第１−２頁、図１、図２）
【０００５】
このように、シャワーヘッドと接続されたシャワーホースを収納可能とし、このシャワーホースを伝って流下する水滴等を回収する水受タンクを隠蔽状に配設し、この水受タンクに水抜き用のホースを接続して排出するようにすると、洗面化粧台の観音開きの開き戸を開けて水抜き用のホースをフックから外しバケツ等の容器に入れて排出しなければならなかった。そのために、水抜き作業が困難なものであり、簡単に水捨てができるようにしなければならないものであった。また、システムキッチンの台輪前板の後方を引出し収納部とするものが、公知であるが、このようなけこみ部を水受タンクに利用する技術はないものである。
【０００６】
【発明が解決しようとする課題】
本発明は上記問題点の解決を目的とするものであり、洗面化粧台本体に設けられたシャワーホースやタオル掛けのタオルから滴下する水滴をけこみ部に引出し可能に設けられた水受けタンク内に収容されるようにして、水滴が確実に水受けタンク内に収容され、この水受けタンク内の水滴が簡単に排出可能にした洗面化粧台を提供するものである。
【０００７】
【課題を解決するための手段】
本発明の請求項１記載の洗面化粧台は、洗面化粧台本体の背板側にシャワーホースの収納部を設けるとともに該シャワーホースの外面から滴下する水滴が、背板のガイド部を介して下方のけこみ部に引出し可能に設けられた水受けタンク内に収容されるようにしたことを特徴とするものである。
【０００８】
したがって、シャワーホースの外面から滴下する水滴が、背板のガイド部を介してけこみ部に引出し可能に設けられた水受けタンク内に収容され、この水滴を引出しを開けることで簡単に排出することができる。
【０００９】
本発明の請求項２記載の洗面化粧台は、請求項１記載の引出し可能に設けられた水受けタンクが収納部と水受けタンクとを一体型に形成した引き出しであることを特徴とするものである。
【００１０】
したがって、水受けタンクが収納部と水受けタンクとを一体型に形成されているので、コップや茶碗等の収納と同時に水滴を水受けタンクに収容でき、引出しを開けることで収納物の取出しや水滴の排出が可能となる。
【００１１】
本発明の請求項３記載の洗面化粧台は、請求項２記載の引き出しの前板に水受けタンクが前方から目視可能な確認窓を設けたことを特徴とするものである。
【００１２】
したがって、水受けタンクの内部が確認窓によって、前方から水滴が目視可能となるので、排出時期が簡単に確認できる。
【００１３】
本発明の請求項４記載の洗面化粧台は、洗面化粧台本体の前扉板側にタオル掛けを設けるとともに該タオル掛けのタオルから滴下する水滴を受容するように、引出し可能に設けられた引出し兼用の水受けタンクを下方のけこみ部に設けたことを特徴とするものである。
【００１４】
したがって、濡れタオルからの水滴もけこみ部に設けた引出し兼用の水受けタンクによって、簡単に収容や排出が可能となる。
【００１５】
本発明の請求項５記載の洗面化粧台は、請求項４に記載されたけこみ部に設けられた引出し可能に設けられた引出しの前面にタオルから滴下する水滴を受容する着脱自在の水受けタンクを設けたことを特徴とするものである。
【００１６】
したがって、引出し可能に設けられた引出しの前面にタオルから滴下する水滴を着脱自在の水受けタンクに受容できるので、この水受けタンクの着脱が簡単に取付けができる。
【００１７】
【発明の実施の形態】
図１乃至図４、図５乃至図８に示したように、本発明の異なる実施形態に係わる洗面化粧台であって、以下に説明する。
【００１８】
図１乃至図４において、本発明の第一の実施形態である洗面化粧台Ａは、洗面化粧台本体１の背板側２にシャワーホース３の収納部４を設けるとともに該シャワーホース３の外面から滴下する水滴５が、背板６のガイド部７を介して下方のけこみ部８に引出し可能に設けられた水受けタンク９内に収容されるようにしたものである。
【００１９】
そして、シャワーホース３の外面から滴下する水滴５は、背板６のガイド部７を介して引出し可能に設けられた水受けタンク９内に収容されるので、この水滴５を引出し１１を開けることで簡単に排出することができる。
【００２０】
この引出し可能に設けられた水受けタンク９が物品収納部１０と水受けタンク９とを一体型に形成した引き出し１１でできたものである。さらに、引き出し１１の前板１２に水受けタンク９が前方から目視可能な確認窓１３を設けることで、前方から水滴５が目視可能となり、排出時期が簡単に確認できるようにしたものである。
【００２１】
図５乃至図８において、本発明の第二の実施形態である洗面化粧台Ｂは、洗面化粧台本体１の前扉板側１４にタオル掛け１５を設けるとともに該タオル掛け１５のタオル１６から滴下する水滴５を受容するように、引出し可能に設けられた引出し兼用の水受けタンク９を下方のけこみ部８に設けたものである。さらに、けこみ部８に設けられた引出し可能に設けられた引出し１１の前面にタオル１６から滴下する水滴５を受容する着脱自在の水受けタンク９を設けたものである
【００２２】
これにより、引出し可能に設けられた引出し１１の前面にタオル１６から滴下する水滴５を着脱自在の水受けタンク９に受容できるので、この水受けタンク９の着脱が簡単且つ確実に取付けができる。
【００２３】
以下、本発明の実施例に係わる洗面化粧台Ａ、Ｂについて、図１〜図８に基づいて詳述する。
【００２４】
図１において、洗面化粧台Ａは、前面側に前扉板側１４を形成し、後面側に背板６を設けて箱状をし、この上部にタンク状の洗い部１７、カラン１８及び洗髪等のシャワーヘッド１９に伸縮自在のシャワーホース３を設けた洗面化粧台本体１と、この洗面化粧台本体１の下方に設けられたけこみ部８に引出し可能に設けられた引出し自在の箱状の水受けタンク９とからなるものである。
【００２５】
この引出し可能に設けられた水受けタンク９は、物品収納部１０と水受けタンク９とを一体型に形成した引き出し１１でできている。
【００２６】
さらに、洗面化粧台本体１の背板側２にシャワーホース３の収納部４が設けれ、このシャワーホース３の外面から滴下する水滴５が、背板６に固着された樋状のガイド部７が固着されている。このガイド部７の先端は、水受けタンク９上に流入するようにしている。
【００２７】
そして、シャワーホース３の外面から滴下する水滴５は、背板６のガイド部７を介して引出し可能に設けられた水受けタンク９内に収容され、この水滴５を引出し１１を開けることで簡単に外部に排出することができる。
【００２８】
図３に示したように、引出し１１は、矩形状をした箱体の上下二層に底板２０ａ、２０ｂを形成し、上部の前方に物品収納部１０と後方に水受けタンク９とを一体型に形成して、シャワーホース３からの水滴５がガイド部７を伝って後方の水受けタンク９から下層に水滴５が受容されるものである。
【００２９】
尚、前板１２には、引出し１１の把手と水受けタンク９内の水滴５の滞留状況が前方から目視可能なようにするための四角状の確認窓１３が設けられているので、排出時期が簡単に確認できる。さらに、前板１２の前方から水滴５を抜くようにしても良い。この確認窓１３は、透明のアクリル樹脂を貼着したものや、前板１２内に防水して埋設するようにしても良い。また、２３は引出し１１の把手である。
【００３０】
図４は、引出し１１の変形例であって、矩形状をした箱体の長手方向の中央に仕切板２１を形成して、左右に物品収納部１０と水受けタンク９ａとを一体型に形成し、一方を水受けタンク９とするものである。このとき、シャワーホース３からの水滴５がガイド部７を伝って右側の水受けタンク９に入るようにしている。尚、前板１２には、引出し１１の把手と水受けタンク９内の水滴５の滞留状況が前方から目視可能なようにするための円形の確認窓１３が設けられているので、排出時期が簡単に確認できる。
【００３１】
図５及び図６は、本発明の異なる実施例に係わり、洗面化粧台Ｂは、前面側に前扉板側１４を形成し、後面側に背板６を設けて箱状をし、この上部にタンク状の洗い部１７、カラン１８及び洗髪等のシャワーヘッド１９に伸縮自在のシャワーホース３を設けた洗面化粧台本体１と、この洗面化粧台本体１の下方に設けられたけこみ部８に引出し可能に設けられた引出し自在の一体化した箱状の水受けタンク９とからなり、洗面化粧台本体１の前扉板側１４にタオル掛け１５を設けたものである。
【００３２】
そして、このタオル掛け１５のタオル１６から滴下する水滴５を受容するように、引出し可能に設けられた引出し兼用の水受けタンク９を下方のけこみ部８に設けたものである。さらに、けこみ部８に設けられた引出し可能に設けられた引出し１１の前面に段部２２を形成し、一体化した箱状をした水受けタンク９が固着されている。さらに、この水受けタンク９は、図７に示したように、タオル１６から滴下する水滴５を受容する位置に配設され、排出可能なように引出しを開けることで水滴５を排出するようにしている。また、水受けタンク９の中に持ち運び可能として嵌挿可能な別体の持ち運び自在な水受けタンク９ａを着脱自在に設けても良い。尚、引出し１１の下部には、滑り易くするために車輪２４を設けたものである。
【００３３】
これにより、引出し可能に設けられた引出し１１の前面にタオル１６から滴下する水滴５が一杯になれば、引出し１１を外して水滴５を捨てて空にし、再度引出し１１を差し込むようにしてしておくものである。
【００３４】
尚、前記シャワーホース３の外面から滴下する水滴５は、背板６のガイド部７を介して引出し可能に設けられた水受けタンク９内に収容し、タオル掛け１５のタオル１６から滴下する水滴５を引出し可能に設けられた引出し兼用の水受けタンク９で同時に受容するようにしても良い。
【００３５】
さらに、図８に示したように、引出し１１の前面に一体化した箱状をした水受けタンク９が設けられ、この水受けタンク９の中に持ち運び可能として嵌挿可能な別体の持ち運び自在な水受けタンク９ａを着脱自在に設けたものである。
【００３６】
このようにすることで、水受けタンク９ａに水滴５が溜まれば、この水受けタンク９ａを外して水滴５を捨てる。そして、この水受けタンク９ａをもとの水受けタンク９の中に挿着する。このとき、水受けタンク９ａの位置は、タオル掛け１５のタオル１６から滴下する水滴５が落下する位置に配設されておればよい。また、引出し１１を閉じた状態において、シャワーホース３からの水滴５を引出し１１の後方に設けられている水受けタンク９に受容するようにすれば、タオル１６から滴下する水滴５とシャワーホース３から滴下する水滴５とを同時に引出し１１内に受容して、簡単に排出することができる。
【００３７】
【発明の効果】
上述の如く、本発明の請求項１記載の洗面化粧台は、洗面化粧台本体の背板側にシャワーホースの収納部を設けるとともに該シャワーホースの外面から滴下する水滴が、背板のガイド部を介して下方のけこみ部に引出し可能に設けられた水受けタンク内に収容されるので、シャワーホースの外面から滴下する水滴が、背板のガイド部を介してけこみ部に引出し可能に設けられた水受けタンク内に収容され、この水滴を引出しを開けることで簡単に排出することができる。
【００３８】
本発明の請求項２記載の洗面化粧台は、引出し可能に設けられた水受けタンクが収納部と水受けタンクとを一体型に形成した引き出しであるので、引出しを開けることで収納物の取出しや水滴の排出が可能となる。
【００３９】
本発明の請求項３記載の洗面化粧台は、引き出しの前板に水受けタンクが前方から目視可能な確認窓を設けているので、前方から水滴が目視可能となり、排出時期が簡単に確認できる。
【００４０】
本発明の請求項４記載の洗面化粧台は、洗面化粧台本体の前扉板側にタオル掛けを設けるとともにこのタオル掛けのタオルから滴下する水滴を受容するように、引出し可能に設けられた引出し兼用の水受けタンクを下方のけこみ部に設けているので、濡れタオルからの水滴もけこみ部に設けた引出し兼用の水受けタンクによって、簡単に収容や排出が可能となる。
【００４１】
本発明の請求項５記載の洗面化粧台は、けこみ部に設けられた引出し可能に設けられた引出しの前面にタオルから滴下する水滴を受容する着脱自在の水受けタンクを設けているので、この水受けタンクの着脱が簡単に取付けができる。
【図面の簡単な説明】
【図１】本発明の一実施例に係わる洗面化粧台の側断面図である。
【図２】本発明の一実施例に係わるシャワーヘッドと引出しを引いた状態を示す側断面図である。
【図３】本発明の一実施例に係わる引出しの斜視図である。
【図４】本発明の変形例に係わる引出しの斜視図である。
【図５】本発明の異なる実施例に係わる洗面化粧台の側断面図である。
【図６】本発明の異なる実施例に係わる引出しを引いた状態を示す側断面図である。
【図７】本発明の異なる実施例に係わる引出しの斜視図である。
【図８】本発明の変形例に係わる引出しの斜視図である。
【符号の説明】
Ａ　　　洗面化粧台
Ｂ　　　洗面化粧台
１　　　洗面化粧台本体
２　　　背板側
３　　　シャワーホース
４　　　収納部
５　　　水滴
６　　　背板
７　　　ガイド部
８　　　けこみ部
９　　　水受けタンク
１０　　物品収納部
１１　　引出し
１２　　前板
１３　　確認窓
１４　　前扉板側
１５　　タオル掛け
１６　　タオル
１７　　洗い部
１８　　カラン
１９　　シャワーヘッド
２０　　底板
２１　　仕切板
２２　　段部
２３　　把手
【図１】
2004141337.tif 000003
【図２】
2004141337.tif 000004
【図３】
2004141337.tif 000005
【図４】
2004141337.tif 000006
【図５】
2004141337.tif 000007
【図６】
2004141337.tif 000008
【図７】
2004141337.tif 000009
【図８】
2004141337.tif 000010